【事件の表示】
　特許第３２３０５７９号「化粧料」の請求項１ないし３に係る特許に対する特許異議の申立てについて、次のとおり決定する。
【結　論】
　訂正を認める。
　特許第３２３０５７９号の請求項１ないし３に係る特許を取り消す。
【理　由】
１．手続の経緯
　特許第３２３０５７９号の請求項１ないし３に係る発明についての出願は、平成１１年６月１日に特許出願され、平成１３年９月１４日にその発明について特許権の設定登録がされ、その後、小林育夫より特許異議の申立てがされ、取消しの理由が通知され、その指定期間内である平成１４年９月２６日に訂正請求がなされたものである。
　
２．訂正の適否についての判断
（１）訂正の内容
　ア．訂正事項ａ
　特許請求の範囲の請求項１の記載について、「ヒアルロン酸と１，２−ペンタンジオールを含有する・・・」とあるのを、「ヒアルロン酸０．００１〜１重量％と１，２−ペンタンジオール０．５〜２０重量％を含有する・・・」と訂正する。
　イ．訂正事項ｂ
　特許請求の範囲の請求項２の記載について、「ヒアルロン酸とポリオキシプロピレンジグリセリルエーテルを含有する・・・」とあるのを、「ヒアルロン酸０．００１〜１重量％とポリオキシプロピレンジグリセリルエーテル０．５〜２０重量％を含有する・・・」と訂正する。
　ウ．訂正事項ｃ
　明細書の段落【０００４】の記載について、「・・・、ヒアルロン酸と１，２−ペンタンジオールを組み合わせるか・・・、ヒアルロン酸とポリオキシプロピレンジグリセリルエーテルを組み合わせて配合することにより、・・・」とあるのを、「・・・、ヒアルロン酸０．００１〜１重量％と１，２−ペンタンジオール０．５〜２０重量％を組み合わせるか・・・、ヒアルロン酸０．００１〜１重量％とポリオキシプロピレンジグリセリルエーテル０．５〜２０重量％を組み合わせて配合することにより、・・・」と訂正し、明細書の段落【００５１】の記載において、「ヒアルロン酸と１，２−ペンタンジオールとを組み合わせて配合することにより、・・・」とあるのを、「ヒアルロン酸０．００１〜１重量％と１，２−ペンタンジオール０．５〜２０重量％とを組み合わせて配合することにより、・・・」と訂正する。
　
（２）訂正の目的の適否、新規事項の有無及び拡張・変更の存否
　上記訂正事項ａは、発明を特定する事項であるヒアルロン酸及び１，２−ペンタンジオールのそれぞれの配合量を限定するものであり、しかも、ヒアルロン酸の配合量の０．００１〜１重量％、１，２−ペンタンジオールの配合量の０．５〜２０重量％については、それぞれ、願書に添付した明細書の段落【０００５】、【０００６】に記載されているから、特許請求の範囲の減縮を目的とした明細書の訂正に該当し、願書に添付した明細書に記載した事項の範囲内のものである。
　上記訂正事項ｂは、発明を特定する事項であるヒアルロン酸及びポリオキシプロピレンジグリセリルエーテルのそれぞれの配合量を限定するものであり、しかも、ヒアルロン酸の配合量の０．００１〜１重量％、ポリオキシプロピレンジグリセリルエーテルの配合量の０．５〜２０重量％については、それぞれ、願書に添付した明細書の段落【０００５】、【０００８】に記載されているから、特許請求の範囲の減縮を目的とした明細書の訂正に該当し、願書に添付した明細書に記載した事項の範囲内のものである。
　また、上記訂正事項ｃは、上記訂正事項ａ及びｂと整合を図るものであるから、明りょうでない記載の釈明を目的とした明細書の訂正に該当し、願書に添付した明細書に記載した事項の範囲内のものである。
　そして、上記訂正事項ａないしｃは、いずれも実質的に特許請求の範囲を拡張又は変更するものではない。
　
（３）むすび
　したがって、上記訂正は、特許法第１２０条の４第２項及び同条第３項で準用する特許法第１２６条第２項及び第３項の規定に適合するので、当該訂正を認める。
　
３．特許異議の申立てについての判断
（１）本件の請求項１ないし３の発明
　上記２．で示したように訂正が認められるから、本件の請求項１ないし３の発明（以下、「本件発明１ないし３」という。）は、上記訂正に係る訂正明細書の特許請求の範囲の請求項１ないし３に記載された事項により特定される以下のとおりのものである。
「【請求項１】ヒアルロン酸０．００１〜１重量％と１，２−ペンタンジオール０．５〜２０重量％を含有することを特徴とする化粧料（タチジャコウソウの抽出物とビタミンＥアセテートを含有するか、乳清とセリンを含有するか、トラネキサム酸とセリン、アラニン、トリメチルグリシンからなる群から選ばれた一種または二種以上のアミノ酸を含有する皮膚外用剤を除く）。
　【請求項２】ヒアルロン酸０．００１〜１重量％とポリオキシプロピレンジグリセリルエーテル０．５〜２０重量％を含有することを特徴とする化粧料。
　【請求項３】ヒアルロン酸の分子量が１００００以上６０００００以下である請求項１または２記載の化粧料。」
　
（２）引用刊行物に記載された発明
　当審で通知した取消しの理由で引用した刊行物１及び３〜９（以下、それぞれ「引用刊行物１」などという。）には、それぞれ、以下の事項が記載されている。
　ア．引用刊行物１（国際公開第９９／１１２３７号パンフレット、異議申立人小林育夫の提出した甲第１号証）
（ア−１）過敏症および皮膚不耐症の発現を回避する皮膚用および／または化粧品用組成物に関し、例６として、第一微生物増殖抑制剤１５重量％とヒアルロン酸ナトリウム０．１２重量％を含有する眼周辺緩和性ゲル。（第２４頁表１１）
（ア−２）例６で使用されている第一微生物増殖抑制剤に関し、ポリオール成分としてカプリリルグリコール約６重量％およびグリセリン約５２重量％が含有されていること。（第１７頁第１９〜２６行）
（ア−３）過敏症および皮膚不耐症の発現を回避する皮膚用および／または化粧品用組成物中の第一微生物増殖抑制剤がポリオール成分を含有し、当該ポリオール成分として、１，２−ペンタンジオール、１，２−オクタンジオール（INCI名、カプリリルグリコール）、グリセリン等が使用できること。（第８頁第２０行〜第９頁第８行）
　上記（ア−１）および（ア−２）の記載事項によれば、引用刊行物１の例６には、以下のとおりの発明が記載されていると認められる。
「ヒアルロン酸ナトリウム０．１２重量％と、第一微生物増殖抑制剤のポリオール成分としてカプリリルグリコール約０．９重量％およびグリセリン約７．８重量％を含有する眼周辺緩和性ゲル。」（以下、「引用発明１」という。）
　イ．引用刊行物３（特開平１０−２７９４１８号公報、異議申立人小林育夫の提出した甲第３号証）
（イ−１）肌荒れ防止、肌荒れ改善機能を有する皮膚外用剤に関し、実施例２として、アセチル化ヒアルロン酸１．０重量％と１，２−ペンタンジオール３．０重量％を含有するクリーム。（段落【００４７】）（以下、「引用発明３」という。）
（イ−２）ヒアルロン酸またはトラネキサム酸の肌荒れ防止、肌荒れ改善機能効果の改良を目的として、アセチル化ヒアルロン酸とトラネキサム酸を配合することとしたこと。（段落【０００３】、【０００４】）
　ウ．引用刊行物４（特開平１０−２７９４１９号公報、異議申立人小林育夫の提出した甲第４号証）
（ウ−１）肌荒れ防止、肌荒れ改善機能を有する皮膚外用剤に関し、実施例２として、アセチル化ヒアルロン酸１．０重量％と１，２−ペンタンジオール３．０重量％を含有するクリーム。（段落【００４８】）（以下、「引用発明４」という。）
（ウ−２）ヒアルロン酸またはα−ヒドロキシ酸の肌荒れ防止、肌荒れ改善機能効果の改良を目的として、アセチル化ヒアルロン酸とα−ヒドロキシ酸を配合することとしたこと。（段落【０００３】、【０００４】）
　エ．引用刊行物５（特開平１０−２７９４２６号公報、異議申立人小林育夫の提出した甲第５号証）
（エ−１）肌荒れ防止、肌荒れ改善機能を有する皮膚外用剤に関し、実施例２として、アセチル化ヒアルロン酸１．０重量％と１，２−ペンタンジオール３．０重量％を含有するクリーム。（段落【００５０】）（以下、「引用発明５」という。）
（エ−２）ヒアルロン酸またはアミノ酸の肌荒れ防止、肌荒れ改善機能効果の改良を目的として、アセチル化ヒアルロン酸と塩基性アミノ酸を配合することとしたこと。（段落【０００３】、【０００４】）
　オ．引用化合物６（日本化粧品技術者会「第３回ＡＳＣＳ大会発表論文報告会講演要旨集」第５６〜６０頁、平成９年１０月１８日発行、異議申立人小林育夫の提出した甲第６号証）
（オ−１）汎用保湿剤の中でも、ヒアルロン酸ナトリウムは、周囲の相対湿度の影響を受けにくい、天然由来の優れた保湿剤であることが広く知られていること。（第５６頁下から第９〜７行）
（オ−２）ヒアルロン酸ナトリウムの水酸基にアセチル基を導入したアセチル化ヒアルロン酸ナトリウムが、優れた保湿効果及び角質柔軟効果を有すること。（第５６頁下から第５〜３行）
（オ−３）化粧品配合系におけるアセチル化ヒアルロン酸ナトリウムの有用性評価。（第５８頁第２〜９行）
　カ．引用刊行物７（特開平８−１２５６８号公報、異議申立人小林育夫の提出した甲第７号証）
（カ−１）多価アルコール誘導体を含有する化粧料に関し、実施例１３として、ヒアルロン酸ナトリウム０．１重量％と、多価アルコール誘導体としてＰＯＰ（１０）アルキルグリコシド２０重量％を含有するモイスチャークリーム。（段落【００２５】）（以下、「引用発明７」という。）
（カ−２）多価アルコール誘導体として、特に好ましい例として、ポリオキシプロピレンジグリセリルエーテル、ポリオキシプロピレンメチルグリコシド等が使用できること。（段落【０００９】）
　キ．引用刊行物８（特開平５−２７９２４０号公報、異議申立人小林育夫の提出した甲第８号証）
（キ−１）ヒアルロン酸を含有する化粧料。（請求項１）
（キ−２）ヒアルロン酸もしくはその塩として、分子量１０万〜３００万。（段落【００１５】）
　ク．引用刊行物９（特開平６−１２８１３８号公報、異議申立人小林育夫の提出した甲第９号証）
（ク−１）ヒアルロン酸及びその塩を含有する化粧料。（請求項１）
（ク−２）ヒアルロン酸もしくはその塩として、分子量１０万〜３００万。（段落【００１４】）
　
（３）対比・判断
　ア．本件発明１の特許について
　（本件発明１と引用発明１との対比・判断）
　本件発明１と引用発明１を対比すると、本件発明１ではヒアルロン酸としてヒアルロン酸ナトリウムが使用されているから（実施例）、本件発明１においてはヒアルロン酸がヒアルロン酸ナトリウムを包含する技術用語として使用されており、引用発明１の眼周辺緩和性ゲルが化粧料に包含されることは明らかであり、引用発明１中のヒアルロン酸ナトリウムの配合量は０．１２重量％であるから、両者は、「ヒアルロン酸ナトリウム０．１２重量％を含有する化粧料」である点で一致し、本件発明１が１，２−ペンタンジオール０．５〜２０重量％を含有しているのに対し、引用発明１は第一微生物増殖抑制剤のポリオール成分としてカプリリルグリコールおよびグリセリンを含有している点で相違する。
　しかしながら、引用刊行物１には、上記（ア−３）のとおり、１，２−ペンタンジオールが、第一微生物増殖抑制剤のポリオール成分として、カプリリルグリコール、グリセリンと同様に使用できることが記載されている。してみれば、引用発明１において使用されているカプリリルグリコールおよび／またはグリセリンに代えて、１，２−ペンタンジオールを使用してみるという程度のことは当業者の容易になし得るところである。
　そして、１，２−ペンタンジオールの配合量については、引用刊行物１において、第一微生物増殖抑制剤のポリオール成分は当該抑制剤中の４０〜７０重量％とされており、また、第一微生物増殖抑制剤は全組成物中の５〜２５重量％の量で変えることができるとされているから、４〜１７．５重量％となる。また、単に引用発明１中のグリセリンまたはカプリリルグリコールのいずれかに代えて１，２−ペンタンジオールを使用するとすると、それぞれ、約７．８重量％、約０．９重量％となる。したがって、いずれにしても、本件発明１の１，２−ペンタンジオールの配合量である０．５〜２０重量％の範囲内である。
　特許権者は、引用刊行物１に記載されている皮膚用および／または化粧品用組成物は、２種の微生物増殖抑制剤を同時に存在させることに特徴を有するので、その第一微生物増殖抑制剤だけに着目して、その一成分であるカプリリルグリコールを、単にポリオールとしての共通性に基づいて、１，２−ペンタンジオールに置き換えることは当業者の容易に想到するところでないと、主張している。しかしながら、引用刊行物１においては、２種の微生物増殖抑制剤、第一微生物増殖抑制剤の各成分の各組み合わせについては、特に限定がなく、適宜選択し得るものであるので、この点に関する特許権者の主張は採用できない。
　なお、べたつき感が少ない優れた使用感を奏するという本件発明１の効果については、化粧料にあっては当然に要求される性質であり、格別のものとは認められない。
　
　（本件発明１と引用発明３〜５との対比・判断）
　本件発明１と引用発明３〜５を比較すると、上記（イ−２）、（ウ−２）および（エ−２）のとおり、両者は共に肌荒れ防止効果を有する組成物であって、引用発明３〜５のクリームが化粧料に包含されることは明らかであり、引用発明３〜５の１，２−ペンタンジオールの配合量は３．０重量％であるから、両者は、「１，２−ペンタンジオール３．０重量％を含有する化粧料」である点で一致し、本件発明１がヒアルロン酸０．００１〜１重量％を含有するのに対し、引用発明３〜５ではアセチル化ヒアルロン酸を含有している点で相違する。
　しかしながら、上記（オ−１）、（オ−２）および（オ−３）のとおり、引用刊行物６には、アセチル化ヒアルロン酸ナトリウム、ヒアルロン酸ナトリウムがともに保湿効果を有し、化粧品の成分として使用できることが記載されている。そして、本件発明１においてはヒアルロン酸がヒアルロン酸ナトリウムを包含する技術用語として使用されていることは上記のとおりである。さらに、引用刊行物３〜５のアセチル化ヒアルロン酸は、その製造方法からアセチル化ヒアルロン酸ナトリウムであることがわかる。してみれば、引用発明３〜５において、アセチル化ヒアルロン酸に代えてヒアルロン酸ナトリウムを使用してみるという程度のことは当業者の容易になし得るところである。
　そして、ヒアルロン酸ナトリウムの配合量については、引用刊行物３〜５において、アセチル化ヒアルロン酸の配合量が０．０００１〜１０重量％とされており、具体例である引用発明３〜５におけるアセチル化ヒアルロン酸の配合量が１．０重量％であるから、アセチル化ヒアルロン酸に代えてヒアルロン酸ナトリウムを使用するとすると、いずれも、本件発明１のヒアルロン酸の配合量である０．００１〜１重量％と重複している。
　特許権者は、引用刊行物３ではトラネキサム酸、引用刊行物４ではα−ヒドロキシ酸、引用刊行物５では塩基性アミノ酸が、それぞれ、配合されており、これらの成分をすべて含有することによって所望の効果が奏されているものと、主張している。しかるに、本件発明１は、タチジャコウソウの抽出物とビタミンＥアセテートを含有する場合、乳清とセリンを含有する場合およびトラネキサム酸とセリン、アラニン、トリメチルグリシンからなる群から選ばれた一種または二種以上のアミノ酸を含有する場合が除かれる他は特に配合成分に限定がないので、引用発明３においてトラネキサム酸、引用発明４においてα−ヒドロキシ酸、引用発明５において塩基性アミノ酸が配合されていても、本件発明１との対比における相違点は上記のとおりとなるのであり、この点に関する特許権者の主張は採用できない。
　なお、べたつき感が少ない優れた使用感を奏するという本件発明１の効果については、化粧料にあっては当然に要求される性質であり、格別のものとは認められない。
　
　イ．本件発明２の特許について
　本件発明２と引用発明７を対比すると、本件発明２ではヒアルロン酸としてヒアルロン酸ナトリウムが使用されているから、本件発明２においてはヒアルロン酸がヒアルロン酸ナトリウムを包含する技術用語として使用されており、引用発明７のモイスチャークリームが化粧料に包含されることは明らかであり、ヒアルロン酸ナトリウムの配合量は０．１重量％であるから、両者は、「ヒアルロン酸ナトリウム０．１重量％を含有する化粧料」である点で一致し、本件発明１がポリオキシプロピレンジグリセリルエーテル０．５〜２０重量％を含有しているのに対し、引用発明７は多価アルコール誘導体としてＰＯＰ（１０）アルキルグリコシドを含有している点で相違する。
　しかしながら、引用刊行物７には、上記（カ−２）のとおり、ポリオキシプロピレンジグリセリルエーテルが、多価アルコール誘導体の特に好適な例として記載されている。してみれば、引用発明７において使用されているＰＯＰ（１０）アルキルグリコシドに代えて、ポリオキシプロピレンジグリセリルエーテルを使用してみるという程度のことは当業者の容易になし得るところである。
　そして、ポリオキシプロピレンジグリセリルエーテルの配合量については、引用刊行物７において多価アルコール誘導体の配合量は０．１〜３０重量％とされており、具体例である引用発明７における多価アルコール誘導体であるＰＯＰ（１０）アルキルグリコシドの配合量が１．０重量％であるから、ＰＯＰ（１０）アルキルグリコシドに代えてポリオキシプロピレンジグリセリルエーテルを使用するとすると、いずれも、本件発明２のポリオキシプロピレンジグリセリルエーテルの配合量である０．５〜２０重量％と重複している。
　特許権者は、引用刊行物７においては、ｄｌ−α−トコフェロール−２−Ｌ−アスコルビン酸リン酸ジエステルが配合されており、これらの成分をすべて含有することによって所望の効果が奏されているものと、主張している。しかるに、本件発明２は他の配合成分に特に限定がないので、引用発明７においてｄｌ−α−トコフェロール−２−Ｌ−アスコルビン酸リン酸ジエステルが配合されていても、本件発明２との対比における相違点は上記のとおりであるから、この点に関する特許権者の主張は採用できない。
　なお、べたつき感が少ない優れた使用感を奏するという本件発明２の効果については、化粧料にあっては当然に要求される性質であり、格別のものとは認められない。
　
　ウ．本件発明３の特許について
　本件発明３は、本件発明１及び２において使用されているヒアルロン酸の分子量を「１００００以上６０００００以下」と特定するものである。
　しかるに、上記ア．及びイ．のとおり、本件発明１および本件発明２は、いずれも、引用刊行物１および３〜７に基づいて、当業者が容易に想到し得たものである。そして、引用刊行物８及び９に記載されているように、化粧料の分野において通常使用されるヒアルロン酸およびヒアルロン酸ナトリウムの分子量は１０万から３００万である。してみれば、本件発明３におけるヒアルロン酸の分子量の特定は、通常使用するヒアルロン酸の分子量を単に記載したにすぎないものである。
　したがって、本件発明３は、引用刊行物１および３〜９に記載された発明に基づいて当業者が容易に発明できたものである。
　
（４）むすび
　以上のとおりであるから、本件発明１ないし３は、上記引用刊行物１および３〜９に記載された発明に基づいて当業者が容易に発明をすることができたものであるから、本件発明１ないし３についての特許は特許法第２９条第２項の規定に違反してなされたものである。
　したがって、本件発明１ないし３についての特許は、特許法第１１３条第２号に該当し、取り消されるべきものである。
　よって結論のとおり決定する。
【異議決定日】
平成１４年１２月２６日（２００２．１２．２６）
【訂正の要旨】
▲１▼　特許公報、特許請求の範囲の請求項１の「ヒアルロン酸と１，２−ペンタンジオールを含有することを特徴とする化粧料（タチジャコウソウの抽出物とビタミンＥアセテートを含有するか、乳性とセリンを含有するか、トラネキサム酸とセリン、アラニン、トリメチルグリシンからなる群から選ばれた一種または二種以上のアミノ酸を含有する皮膚外用剤を除く）。」を、特許請求の範囲の減縮を目的として、「
ヒアルロン酸０．００１〜１重量％と１，２−ペンタンジオール０．５〜２０重量％
▲２▼　同請求項２の「ヒアルロン酸とポリオキシプロピレンジグリセリルエーテルを含有することを特徴とする化粧料。」を、特許請求の範囲の減縮を目的として、「
ヒアルロン酸０．００１〜１重量％とポリオキシプロピレンジグリセリルエーテルを０．５〜２０重量％
▲３▼　以下、特許請求の範囲との整合を図り、明瞭でない記載の釈明を目的とする訂正です。
ａ．特許公報、第３欄、段落番号０００４において「本発明者は上記課題の解決のため鋭意検討を重ねた結果、ヒアルロン酸と１，２−ペンタンジオールを組み合わせるか（タチジャコウソウの抽出物とビタミンＥアセテートを含有するか、乳清とセリンを含有するか、トラネキサム酸とセリン、アラニン、トリメチルグリシンからなる群から選ばれた一種または二種以上のアミノ酸を含有する皮膚外用剤を除く）、ヒアルロン酸とポリオキシプロピレンジグリセリルエーテルを組み合わせて配合することにより、上記課題を解決することが可能であることを見出し、本発明を完成した。」を、「本発明者は上記課題の解決のため鋭意検討を重ねた結果、
ヒアルロン酸０．００１〜１重量％と１，２−ペンタンジオール０．５〜２０重量％
ヒアルロン酸０．００１〜１重量％とポリオキシプロピレンジグリセリルエーテル０．５〜２０重量％
ｂ．同第２９〜３０欄、段落番号００５１において「ヒアルロン酸と１，２−ペンタンジオールとを組み合わせて配合することにより、しっとりとしてコクがあり、かつ、べたつきが少ない優れた使用感を持ち、肌荒れ防止効果が高い化粧料を提供することができた。」を、「
ヒアルロン酸０．００１〜１重量％と１，２−ペンタンジオール０．５〜２０重量％
（５４）【発明の名称】
化粧料
（５７）【特許請求の範囲】
　【請求項１】
ヒアルロン酸０．００１〜１重量％と１，２−ペンタンジオール０．５〜２０重量％
　【請求項２】　
ヒアルロン酸０．００１〜１重量％とポリオキシプロピレンジグリセリルエーテル０．５〜２０重量％
　【請求項３】　ヒアルロン酸の分子量が１００００以上６０００００以下である請求項１または２記載の化粧料。
【発明の詳細な説明】
　【０００１】
　【発明の属する技術分野】本発明は、しっとりとしてコクがあり、かつ、べたつきが少ない優れた使用感を持ち、肌荒れ防止効果が高い化粧料に関する。
　【０００２】
　【従来技術】化粧品は、肌をしっとりとした状態に保ち、肌荒れを防止する機能を持つ。ヒアルロン酸は保湿性に優れるため、肌をしっとりとした状態に保つ効果が高いが、反面、べたつく感触が問題とされてきた。
　【０００３】
　【発明が解決しようとする課題】本発明の課題は、しっとりとしてコクがあり、かつ、べたつきが少ない優れた使用感を持ち、肌荒れ防止効果が高い化粧料を提供することである。
　【０００４】
　【課題を解決するための手段】本発明者は上記課題の解決のため鋭意検討を重ねた結果、
ヒアルロン酸０．００１〜１重量％と１，２−ペンタンジオール０．５〜２０重量％
ヒアルロン酸０．００１〜１重量％とポリオキシプロピレンジグリセリルエーテル０．５〜２０重量％
　【０００５】
　【発明の実施の形態】本発明の化粧料で用いられるヒアルロン酸は動物諸組織、特に間充組織に広く分布し、構造はＤ−グルクロン酸とＮ−アセチルグルコサミンとの等モルを１単位とする多糖である。本発明に用いるヒアルロン酸の平均分子量は１００００〜５００００００であり、好ましくは１００００〜６０００００である。平均分子量１００００未満ではしっとり感が不十分であり、６０００００以上ではべたつきを抑えることがやや困難である。本発明に用いるヒアルロン酸の配合量は化粧料全量中の０．００１％〜１重量％が好ましい。０．００１％未満ではしっとり感が不十分であり、１％をこえるとべたつきを抑えることがやや困難である。
　【０００６】
　本発明に用いられる１，２−ペンタンジオールは二価の脂肪族アルコールの一種で、通常保湿剤として化粧料中に配合されている成分である。本発明に用いる１，２−ペンタンジオールの配合量は０．５〜２０重量％が好ましく、１〜１０重量％の配合が特に好ましい。ヒアルロン酸と１，２−ペンタンジオールの配合比は重量％比で１／１０〜１／２００００が好ましい。重量％比が１／１０よりも大きくなると、ヒアルロン酸のべたつきを抑える効果が不十分となる。
　【０００７】
　本発明に用いられるポリグリセリンはグリセリンを脱水縮合して得られるもので、グリセリンの平均重合度は２〜１０である。本発明に用いるポリグリセリンの配合量は０．５〜２０重量％が好ましく、１〜１０重量％の配合が特に好ましい。ヒアルロン酸とポリグリセリンの配合比は重量％比で１／１０〜１／２００００が好ましい。重量％比が１／１０よりも大きくなると、ヒアルロン酸のべたつきを抑える効果が不十分となる。
　【０００８】
　本発明に用いられるポリオキシプロピレンジグリセリルエーテルはジグリセリンに酸化プロピレンを付加重合したものである。酸化プロピレンの平均重合度は、５〜１５である。本発明に用いるポリオキシプロピレンジグリセリルエーテルの配合量は０．５〜２０重量％が好ましく、１〜１０重量％の配合が特に好ましい。ヒアルロン酸とポリオキシプロピレンジグリセリルエーテルの配合比は重量％比で１／１０〜１／２００００が好ましい。重量％比が１／１０よりも大きくなると、ヒアルロン酸のべたつきを抑える効果が不十分となる。
　【０００９】
　本発明においては、発明の効果を損なわない範囲内で、化粧料として従来より用いられている配合剤を添加しても良いことは勿論である。例えば、保湿剤としてグリセリン、１，３−ブチレングリコール、プロピレングリコール、ジプロピレングリコール、ジグリセリン、イソプレングリコール、１，２−ペンタンジオール、キシリット、ソルビット、乳糖、白糖、ハチミツ、ブドウ糖、Ｄ−マンニット、マルチトール、マルトース、尿素、ポリエチレングリコール、ポリオキシエチレンメチルグルコシド等の配合が可能である。
　【００１０】
　また、油剤として、アボカド油、アジピン酸ジ−２−エチルヘキシル等のアジピン酸ジエステル、アニス油、アラキルアルコール、イソステアリン酸、イソステアリルアルコール、イソステアリン酸イソステアリル等のイソステアリン酸エステル、イソノナン酸イソデシル等のイソノナン酸エステル、イソパルミチン酸オクチル等のイソパルミチン酸エステル、ウンデシレン酸、２−エチルヘキサン酸セチル等の２−エチルヘキサン酸エステル、エルカ酸オクチルドデシル等のエルカ酸エステル、オクチルドデカノール、オリブ油、オレイルアルコール、オレイン酸フィトステリル等のオレイン酸エステル、デカメチルシクロペンタシロキサン等の環状シリコーン、オクタン酸イソセチル等のオクタン酸エステル、オリーブ油アルコール、オレンジラフィー油、カカオ脂、カルナウバロウ、カプリル酸セチル等のカプリル酸エステル、カプリン酸、キャンデリラロウ、揮発性イソパラフィン、キューカンバー油、牛脂、牛脂脂肪酸、クエン酸アセチルトリエチル等のクエン酸アセチルエステル、クエン酸トリ２−エチルヘキシル等のクエン酸エステル、ククイナッツ油、軽質イソパラフィン、硬化油、ゴマ油、コレステロール、硬化ナタネ油アルコール、硬化ヒマシ油、高酸化ミツロウ、硬質ラノリン脂肪酸コレステリル等の硬質ラノリン脂肪酸エステル、コハク酸ジ２−エチルヘキシル等のコハク酸エステル、ゴボウ種子油、コメヌカ油、コメ胚芽油、サフラワー油、サザンカ油、サフラワー油脂肪酸、サメ肝油、サラシモンタンロウ、ジオレイン酸プロピレングリコール等の脂肪酸とプロピレングリコールのジエステル、ジメチルオクタン酸ヘキシルデシル、シア脂、ジ−２−エチルヘキサン酸ネオペンチルグリコール等の脂肪酸とネオペンチルグリコールのジエステル、ジオクタン酸エチレングリコール等の脂肪酸とエチレングリコールのジエステル、ジメチルオクタン酸オクチルドデシル等のジメチルオクタン酸エステル、スクワラン、ステアリルアルコール、ステアリン酸、水素添加ホホバ油、水素添加ヤシ油、ステアリン酸イソセチル等のステアリン酸エステル、セタノール、セージ油、セトキシメチルポリシロキサン、側鎖高級アルコール（Ｃ３２〜Ｃ３６）混合物、大豆油、タートル油、タートル油脂肪酸エチルエステル等のタートル油脂肪酸エステル、タイム油、チョウジ油、ツバキ油、月見草油、デシルテトラデカノール、テトラ２−エチルヘキサン酸ペンタエリスリット等の脂肪酸とペンタエリスリットのテトラエステル、７−デヒドロコレステロール、テレビン油、トウモロコシ油、トリ２−エチルヘキサン酸グリセリル等の脂肪酸とグリセリンのトリエステル、ナタネ油、ノナン酸コレステリル、ノナン酸ジヒドロコレステリル、パーシック油、流動パラフィン、パルミチン酸、パルミチン酸イソプロピル等のパルミチン酸エステル、パーム核油、パーム油、ヒドロキシステアリン酸、ヒドロキシステアリン酸コレステリル等のヒドロキシステアリン酸エステル、ヒドロキシラノリン、ヒマシ油脂肪酸メチル等のヒマシ油脂肪酸エステル、ヒマワリ油、フィトステロール、ヘキシルデカノール、ベヘニン酸、ヘーゼルナッツ油、ヘプタン酸ステアリル等のヘプタン酸エステル、ペラルゴン酸オクチル等のペラルゴン酸エステル、ホホバアルコール、ホホバ油、マカデミアナッツ油、マカデミアナッツ油脂肪酸フィトステリルなどのマカデミアナッツ油脂肪酸エステル、マムシ油、ミツロウ、ミリスチン酸、ミリスチン酸イソプロピル等のミリスチン酸エステル、ミンク油、ミリスチルアルコール、ミンク油脂肪酸エチル等のミンク油脂肪酸エステル、ミンクワックス、メチルフェニルポリシロキサン、メチルポリシロキサン、モクロウ、モルティエレラ油、ヤシ油、ヤシ油脂肪酸、ユーカリ油、ユーグレナ油、ラウリルアルコール、ラウリン酸、ラウリン酸ヘキシル等のラウリン酸エステル、ラノリン、ラノリンアルコール、ラノリン脂肪酸、ラッカセイ油、ラノステロール、ラベンダー油、卵黄脂肪油、卵黄油、リシノレイン酸セチル等のリシノレイン酸エステル、リノール酸、リノール酸エチル等のリノール酸エステル、ローズマリー油、ローマカミツレ油、ワセリン等の配合が可能である。
　【００１１】
　また、ビタミン類として、アスコルビン酸、アセチルパントテニルエチルエーテル、イノシット、エルゴカシフェロール、β−カロチン、酢酸ＤＬ−α−トコフェロール、酢酸レチノール、ジパルミチン酸アスコルビル、ジパルミチン酸ピリドキシン、ピリドキシン、ステアリン酸アスコルビル、ＤＬ−α−トコフェロール、ニコチン酸アミド、ニコチン酸、ニコチン酸メチル、Ｄ−パントテニルアルコール、ビオチン、ビタミンＡ油、パントテニルエチルエーテル等の配合が可能である。
　【００１２】
　また、アミノ酸として、Ｌ−アスパラギン酸、ＤＬ−アラニン、グリシン、Ｌ−シスチン、Ｌ−スレオニン、Ｌ−セリン、Ｌ−メチオニン、Ｌ−ヒスチジン、Ｌ−プロリン等の配合が可能である。
　【００１３】
　また、増粘剤としてアラビアゴム、アルギン酸ナトリウム、カラギーナン、カルボキシビニルポリマー、カルボキシメチルセルロースナトリウム、コンドロイチン硫酸ナトリウム、ヒドロキシエチルセルロース、ポリアクリル酸ナトリウム、グァーガム、クインスシード、キサンタンガム、カルボキシメチルキトサン、サクシニルカルボキシメチルキトサン等の配合が可能である。
　【００１４】
　また、肌荒れ改善剤として、アラントイン、グアイアズレン、グリチルリチン酸、グリチルレチン酸、グリチルレチン酸ステアリル、ヒノキチオール、ビサボロール等の配合が可能である。
　【００１５】
　また、清涼剤としてエタノールの配合が可能である。
　【００１６】
　また、水素イオン濃度調整剤として、クエン酸塩、酒石酸塩、乳酸塩、リン酸塩等の配合が可能である。
　【００１７】
　本発明の化粧料の剤型は任意であり、具体的には、ローション類、乳液類、クリーム類、パック類、ジェル類、美溶液類、ファンデーション類、シャンプー類、リンス類、養毛化粧料等があげられる。
　【００１８】
　【実施例】本発明を実施例及び比較例をもって更に具体的に説明する。
実施例１〜４、比較例１〜４
表１の配合組成によりローションを製造した。
　【００１９】
　【表１】
　【００２０】
　表１における▲１▼〜▲８▼の成分を混合溶解し、ローションを得た。専門の使用感評価員１０名により、実施例１〜４、比較例１〜４の使用感を評価した。評価基準は以下の通りである。
　　◎：１０名中８名以上が良好と回答した。
　　○：１０名中６名以上が良好と回答した。
　　△：１０名中４名以上が良好と回答した。
　　×：１０名中４名未満が良好と回答した。
　【００２１】
　また、肌荒れに悩む女性２０名を１０名ずつの２群に分け、第１群は実施例１と比較例１、第２群は実施例１と比較例２の肌荒れ改善効果を比較した。連用期間は２週間で、毎日朝晩１回ずつ、左顔に実施例１、右顔に比較例を塗布し、連用後にどちらの肌荒れ改善効果が高いか回答させた（表２）。１群、２群ともに実施例の肌荒れ改善効果が高いと回答する人数が格段に多かった。
　【００２２】
　【表２】
　【００２３】
　実施例５〜８、比較例５〜８
表３の配合組成により乳液を製造した。
　【００２４】
　【表３】
　【００２５】
　表３における▲１▼〜▲４▼、▲７▼の成分及び▲８▼〜▲１１▼の成分をそれぞれ加熱混合溶解し、前者を後者に添加しながらホモミキサーで攪拌し乳化した。室温まで冷却し、少量の水に溶解した▲５▼、▲６▼を添加混合し、乳液を得た。専門の使用感評価員１０名により、実施例５〜８、比較例５〜８の使用感を評価した。評価基準は以下の通りである。
　　◎：１０名中８名以上が良好と回答した。
　　○：１０名中６名以上が良好と回答した。
　　△：１０名中４名以上が良好と回答した。
　　×：１０名中４名未満が良好と回答した。
　【００２６】
　参考例１〜４、比較例９〜１２
表４の配合組成によりローションを製造した。
　【００２７】
　【表４】
　【００２８】
　表４における▲１▼〜▲８▼の成分を混合溶解し、ローションを得た。専門の使用感評価員１０名により、参考例１〜４、比較例９〜１２の使用感を評価した。評価基準は以下の通りである。
　　◎：１０名中８名以上が良好と回答した。
　　○：１０名中６名以上が良好と回答した。
　　△：１０名中４名以上が良好と回答した。
　　×：１０名中４名未満が良好と回答した。
　【００２９】
　また、肌荒れに悩む女性２０名を１０名ずつの２群に分け、第１群は参考例１と比較例９、第２群は参考例１と比較例１０の肌荒れ改善効果を比較した。連用期間は２週間で、毎日朝晩１回ずつ、左顔に参考例１、右顔に比較例を塗布し、連用後にどちらの肌荒れ改善効果が高いか回答させた（表５）。１群、２群ともに参考例の肌荒れ改善効果が高いと回答する人数が格段に多かった。
　【００３０】
　【表５】
　【００３１】
　参考例５〜８、比較例１３〜１６
表６の配合組成により乳液を製造した。
　【００３２】
　【表６】
　【００３３】
　表６における▲１▼〜▲４▼、▲７▼の成分及び▲８▼〜１１の成分をそれぞれ加熱混合溶解し、前者を後者に添加しながらホモミキサーで攪拌し乳化した。室温まで冷却し、少量の水に溶解した▲５▼、▲６▼を添加混合し、乳液を得た。専門の使用感評価員１０名により、参考例５〜８、比較例１３〜１６の使用感を評価した。評価基準は以下の通りである。
　　◎　：１０名中８名以上が良好と回答した。
　　○　：１０名中６名以上が良好と回答した。
　　△　：１０名中４名以上が良好と回答した。
　　×　：１０名中４名未満が良好と回答した。
　【００３４】
　【実施例】本発明を実施例及び比較例をもって更に具体的に説明する。
実施例９〜１２、比較例１７〜２０
表７の配合組成によりローションを製造した。
　【００３５】
　【表７】
　【００３６】
　表７における▲１▼〜▲８▼の成分を混合溶解し、ローションを得た。専門の使用感評価員１０名により、実施例９〜１２、比較例１７〜２０の使用感を評価した。評価基準は以下の通りである。
　　◎　：１０名中８名以上が良好と回答した。
　　○　：１０名中６名以上が良好と回答した。
　　△　：１０名中４名以上が良好と回答した。
　　×　：１０名中４名未満が良好と回答した。
　【００３７】
　また、肌荒れに悩む女性２０名を１０名ずつの２群に分け、第１群は実施例９と比較例１７、第２群は実施例９と比較例１８の肌荒れ改善効果を比較した。連用期間は２週間で、毎日朝晩１回ずつ、左顔に実施例１、右顔に比較例を塗布し、連用後にどちらの肌荒れ改善効果が高いか回答させた（表８）。１群、２群ともに実施例の肌荒れ改善効果が高いと回答する人数が格段に多かった。
　【００３８】
　【表８】
　【００３９】
　実施例１３〜１６、比較例２１〜２４
表９の配合組成により乳液を製造した。
　【００４０】
　【表９】
　【００４１】
　表９における▲１▼〜▲４▼、▲７▼の成分及び▲８▼〜１１の成分をそれぞれ加熱混合溶解し、前者を後者に添加しながらホモミキサーで攪拌し乳化した。室温まで冷却し、少量の水に溶解した▲５▼、▲６▼を添加混合し、乳液を得た。専門の使用感評価員１０名により、実施例１２〜１６、比較例２１〜２４の使用感を評価した。評価基準は以下の通りである。
　　◎　：１０名中８名以上が良好と回答した。
　　○　：１０名中６名以上が良好と回答した。
　　△　：１０名中４名以上が良好と回答した。
　　×　：１０名中４名未満が良好と回答した。
　【００４２】
実施例１７（クリーム）
　（Ａ）精製水　　　　　　　　　　　　　　　　　　　　　　　　　残余
　　　　１，３−ブチレングリコール　　　　　　　　　　　　　　　５
　　　　１，２−ペンタンジオール　　　　　　　　　　　　　　　　５
　　　　グリチルリチン酸ジカリウム　　　　　　　　　　　　　　　０．２
　　　　グリシン　　　　　　　　　　　　　　　　　　　　　　　　０．２
　（Ｂ）スクワラン　　　　　　　　　　　　　　　　　　　　　　　３
　　　　トリ２−エチルヘキサン酸グリセリル　　　　　　　　　　　７
　　　　ステアリン酸　　　　　　　　　　　　　　　　　　　　　　３
　　　　ベヘニルアルコール　　　　　　　　　　　　　　　　　　　１
　　　　メチルポリシロキサン　　　　　　　　　　　　　　　　　　１
　　　　カンゾウフラボノイド　　　　　　　　　　　　　　　　　　０．０１
　　　　天然ビタミンＥ　　　　　　　　　　　　　　　　　　　　　０．０１
　　　　ビサボロール　　　　　　　　　　　　　　　　　　　　　　０．１
　　　　モノステアリン酸グリセリル　　　　　　　　　　　　　　　２
　　　　モノステアリン酸ソルビタン　　　　　　　　　　　　　　　２
　（Ｃ）ヒアルロン酸ナトリウム（平均分子量６０万）　　　　　　　０．０１
　　　　カルボキシメチルセルロースナトリウム　　　　　　　　　　０．２
（Ａ）、（Ｂ）それぞれ加熱混合溶解後、（Ａ）を（Ｂ）に添加し、ホモミキサーで攪拌し、乳化した。室温まで冷却し、少量の水に溶解した（Ｃ）を添加混合しクリームを得た。
　【００４３】
参考例５（クリーム）
　（Ａ）精製水　　　　　　　　　　　　　　　　　　　　　　　　　残余
　　　　１，３−ブチレングリコール　　　　　　　　　　　　　　　５
　　　　ポリグリセリン　　　　　　　　　　　　　　　　　　　　　５
　　　　グリチルリチン酸ジカリウム　　　　　　　　　　　　　　　０．２
　　　　グリシン　　　　　　　　　　　　　　　　　　　　　　　　０．２
　（Ｂ）スクワラン　　　　　　　　　　　　　　　　　　　　　　　３
　　　　トリ２−エチルヘキサン酸グリセリル　　　　　　　　　　　７
　　　　ステアリン酸　　　　　　　　　　　　　　　　　　　　　　３
　　　　ベヘニルアルコール　　　　　　　　　　　　　　　　　　　１
　　　　メチルポリシロキサン　　　　　　　　　　　　　　　　　　１
　　　　カンゾウフラボノイド　　　　　　　　　　　　　　　　　　０．０１
　　　　天然ビタミンＥ　　　　　　　　　　　　　　　　　　　　　０．０１
　　　　ビサボロール　　　　　　　　　　　　　　　　　　　　　　０．１
　　　　モノステアリン酸グリセリル　　　　　　　　　　　　　　　２
　　　　モノステアリン酸ソルビタン　　　　　　　　　　　　　　　２
　（Ｃ）ヒアルロン酸ナトリウム（平均分子量６０万）　　　　　　　０．０１
　　　　カルボキシメチルセルロースナトリウム　　　　　　　　　　０．２
製造法は実施例１７に準ずる。
　【００４４】
実施例１８（クリーム）
　（Ａ）精製水　　　　　　　　　　　　　　　　　　　　　　　　　残余
　　　　１，３−ブチレングリコール　　　　　　　　　　　　　　　５
　　　　ポリオキシプロピレンジグリセリルエーテル　　　　　　　　５
　　　　グリチルリチン酸ジカリウム　　　　　　　　　　　　　　　０．２
　　　　グリシン　　　　　　　　　　　　　　　　　　　　　　　　０．２
　（Ｂ）スクワラン　　　　　　　　　　　　　　　　　　　　　　　３
　　　　トリ２−エチルヘキサン酸グリセリル　　　　　　　　　　　７
　　　　ステアリン酸　　　　　　　　　　　　　　　　　　　　　　３
　　　　ベヘニルアルコール　　　　　　　　　　　　　　　　　　　１
　　　　メチルポリシロキサン　　　　　　　　　　　　　　　　　　１
　　　　カンゾウフラボノイド　　　　　　　　　　　　　　　　　　０．０１
　　　　天然ビタミンＥ　　　　　　　　　　　　　　　　　　　　　０．０１
　　　　ビサボロール　　　　　　　　　　　　　　　　　　　　　　０．１
　　　　モノステアリン酸グリセリル　　　　　　　　　　　　　　　２
　　　　モノステアリン酸ソルビタン　　　　　　　　　　　　　　　２
　（Ｃ）ヒアルロン酸ナトリウム（平均分子量６０万）　　　　　　　０．０１
　　　　カルボキシメチルセルロースナトリウム　　　　　　　　　　０．２
製造法は実施例１７に準ずる。
　【００４５】
実施例１９（クレンジングクリーム）
　（Ａ）精製水　　　　　　　　　　　　　　　　　　　　　　　　　残余
　　　　１，２−ペンタンジオール　　　　　　　　　　　　　　　　５
　（Ｂ）トリ２−エチルヘキサン酸グリセリル　　　　　　　　　　４０
　　　　ステアリン酸　　　　　　　　　　　　　　　　　　　　　　３
　　　　ベヘニルアルコール　　　　　　　　　　　　　　　　　　　１
　　　　メチルポリシロキサン　　　　　　　　　　　　　　　　　　１
　　　　モノステアリン酸グリセリル　　　　　　　　　　　　　　　２
　　　　モノステアリン酸ソルビタン　　　　　　　　　　　　　　　２
　　　　モノステアリン酸ＰＯＥ（２０）ソルビタン　　　　　　　　２
　（Ｃ）ヒアルロン酸ナトリウム（平均分子量６０万）　　　　　　　０．０１
製造法は実施例１７に準ずる。
　【００４６】
参考例６（クレンジングクリーム）
　（Ａ）精製水　　　　　　　　　　　　　　　　　　　　　　　　　残余
　　　　ポリグリセリン　　　　　　　　　　　　　　　　　　　　　５
　（Ｂ）トリ２−エチルヘキサン酸グリセリル　　　　　　　　　　４０
　　　　ステアリン酸　　　　　　　　　　　　　　　　　　　　　　３
　　　　ベヘニルアルコール　　　　　　　　　　　　　　　　　　　１
　　　　メチルポリシロキサン　　　　　　　　　　　　　　　　　　１
　　　　モノステアリン酸グリセリル　　　　　　　　　　　　　　　２
　　　　モノステアリン酸ソルビタン　　　　　　　　　　　　　　　２
　　　　モノステアリン酸ＰＯＥ（２０）ソルビタン　　　　　　　　２
　（Ｃ）ヒアルロン酸ナトリウム（平均分子量６０万）　　　　　　　０．０１
製造法は実施例１７に準ずる。
　【００４７】
実施例２０（クレンジングクリーム）
　（Ａ）精製水　　　　　　　　　　　　　　　　　　　　　　　　　残余
　　　　ポリオキシプロピレンジグリセリルエーテル　　　　　　　　５
　（Ｂ）トリ２−エチルヘキサン酸グリセリル　　　　　　　　　　４０
　　　　ステアリン酸　　　　　　　　　　　　　　　　　　　　　　３
　　　　ベヘニルアルコール　　　　　　　　　　　　　　　　　　　１
　　　　メチルポリシロキサン　　　　　　　　　　　　　　　　　　１
　　　　モノステアリン酸グリセリル　　　　　　　　　　　　　　　２
　　　　モノステアリン酸ソルビタン　　　　　　　　　　　　　　　２
　　　　モノステアリン酸ＰＯＥ（２０）ソルビタン　　　　　　　　２
　（Ｃ）ヒアルロン酸ナトリウム（平均分子量６０万）　　　　　　　０．０１
製造法は実施例１７に準ずる。
　【００４８】
実施例２１（ファンデーション）
　（Ａ）精製水　　　　　　　　　　　　　　　　　　　　　　　　　残余
　　　　１，２−ペンタンジオール　　　　　　　　　　　　　　　　５
　　　　塩化ナトリウム　　　　　　　　　　　　　　　　　　　　　０．５
　　　　Ｌ−アルギニン　　　　　　　　　　　　　　　　　　　　　０．０１
　　　　ヒアルロン酸ナトリウム（平均分子量６０万）　　　　　　　０．０１
　（Ｂ）デカメチルシクロペンタシロキサン　　　　　　　　　　　３０
　　　　スクワラン　　　　　　　　　　　　　　　　　　　　　　　５
　　　　メチルポリシロキサン　　　　　　　　　　　　　　　　　　１
　　　　ジイソステアリン酸ポリグリセリル　　　　　　　　　　　　４
　　　　顔料　　　　　　　　　　　　　　　　　　　　　　　　　１０
　　　　モノステアリン酸ソルビタン　　　　　　　　　　　　　　　２
　　　　モノステアリン酸ＰＯＥ（２０）ソルビタン　　　　　　　　２
　　　　ビタミンＡ油　　　　　　　　　　　　　　　　　　　　　　０．０１
　　　　天然ビタミンＥ　　　　　　　　　　　　　　　　　　　　　０．０５
加熱混合した（Ｂ）に予め加熱混合溶解した（Ａ）を添加し、ホモミキサーで乳化した。室温まで冷却し、ファンデーションを得た。
　【００４９】
参考例７（ファンデーション）
　（Ａ）精製水　　　　　　　　　　　　　　　　　　　　　　　　　残余
　　　　ポリグリセリン　　　　　　　　　　　　　　　　　　　　　５
　　　　塩化ナトリウム　　　　　　　　　　　　　　　　　　　　　０．５
　　　　Ｌ−アルギニン　　　　　　　　　　　　　　　　　　　　　０．０１
　　　　ヒアルロン酸ナトリウム（平均分子量６０万）　　　　　　　０．０１
　（Ｂ）デカメチルシクロペンタシロキサン　　　　　　　　　　　３０
　　　　スクワラン　　　　　　　　　　　　　　　　　　　　　　　５
　　　　メチルポリシロキサン　　　　　　　　　　　　　　　　　　１
　　　　ジイソステアリン酸ポリグリセリル　　　　　　　　　　　　４
　　　　顔料　　　　　　　　　　　　　　　　　　　　　　　　　１０
　　　　モノステアリン酸ソルビタン　　　　　　　　　　　　　　　２
　　　　モノステアリン酸ＰＯＥ（２０）ソルビタン　　　　　　　　２
　　　　ビタミンＡ油　　　　　　　　　　　　　　　　　　　　　　０．０１
　　　　天然ビタミンＥ　　　　　　　　　　　　　　　　　　　　　０．０５
製造法は実施例２１に準ずる。
　【００５０】
実施例２２（ファンデーション）
　（Ａ）精製水　　　　　　　　　　　　　　　　　　　　　　　　　残余
　　　　ポリオキシプロピレンジグリセリルエーテル　　　　　　　　５
　　　　塩化ナトリウム　　　　　　　　　　　　　　　　　　　　　０．５
　　　　Ｌ−アルギニン　　　　　　　　　　　　　　　　　　　　　０．０１
　　　　ヒアルロン酸ナトリウム（平均分子量６０万）　　　　　　　０．０１
　（Ｂ）デカメチルシクロペンタシロキサン　　　　　　　　　　　３０
　　　　スクワラン　　　　　　　　　　　　　　　　　　　　　　　５
　　　　メチルポリシロキサン　　　　　　　　　　　　　　　　　　１
　　　　ジイソステアリン酸ポリグリセリル　　　　　　　　　　　　４
　　　　顔料　　　　　　　　　　　　　　　　　　　　　　　　　１０
　　　　モノステアリン酸ソルビタン　　　　　　　　　　　　　　　２
　　　　モノステアリン酸ＰＯＥ（２０）ソルビタン　　　　　　　　２
　　　　ビタミンＡ油　　　　　　　　　　　　　　　　　　　　　　０．０１
　　　　天然ビタミンＥ　　　　　　　　　　　　　　　　　　　　　０．０５
製造法は実施例２１に準ずる。
　【００５１】
　【発明の効果】
　
ヒアルロン酸０．００１〜１重量％と１，２−ペンタンジオール０．５〜２０重量％
　【表１】
　【表２】
　【表３】
　【表４】
　【表５】
　【表６】
　【表７】
　【表８】
　【表９】